(57)【要約】【課題】時刻情報に対する誤差を簡易に修正する技術を提供する。【解決手段】変調部１６、送信部１８は、リアルタイムクロックが刻む時刻をもとにして生成された時刻情報が格納されたトランスポートストリームパケットに対して送信処理を実行し、送信用アンテナ２０から送信する。受信部２６、復調部２８は、送信用アンテナ２０から送信すべきトランスポートストリームパケットに対して受信処理を実行する。抽出部３０は、受信処理を実行したトランスポートストリームパケットから、時刻情報を抽出する。生成部６２は、抽出した時刻情報と、リアルタイムクロックが刻む時刻との差異に応じて新たな時刻情報を生成する。置換部１４は、送信処理を実行すべきトランスポートストリームパケットに格納された時刻情報を、生成した新たな時刻情報に置換する。【選択図】図１
2013074328.tif 000002
【特許請求の範囲】
【請求項１】
リアルタイムクロックが刻む時刻をもとにして生成された時刻情報が格納されたトランスポートストリームパケットに対して送信処理を実行し、この送信処理を実行したトランスポートストリームパケットをアンテナから送信する送信部と、
前記送信部がアンテナから送信すべきトランスポートストリームパケットに対して受信処理を実行する受信部と、
前記受信部が受信処理を実行したトランスポートストリームパケットから、時刻情報を抽出する抽出部と、
前記抽出部が抽出した時刻情報と、リアルタイムクロックが刻む時刻との差異に応じて新たな時刻情報を生成する生成部と、
前記送信部が送信処理を実行すべきトランスポートストリームパケットに格納された時刻情報を、前記生成部が生成した新たな時刻情報に置換する置換部と、
を備えることを特徴とする送信装置。
【請求項２】
前記生成部は、前記抽出部が抽出した時刻情報と、リアルタイムクロックが刻む時刻との差異が小さくなるような新たな時刻情報を生成することを特徴とする請求項１に記載の送信装置。
【請求項３】
前記送信部が送信に使用すべきアンテナとは異なったアンテナにおいて受信されたトランスポートストリームパケットと、前記送信部がアンテナから送信すべきトランスポートストリームパケットとを入力し、いずれか一方を前記受信部に出力する選択部と、
前記選択部が、前記送信部が送信に使用すべきアンテナとは異なったアンテナにおいて受信されたトランスポートストリームパケットを前記受信部に出力している場合、前記抽出部が抽出した時刻情報と、リアルタイムクロックが刻む時刻との差異に応じて、リアルタイムクロックが刻む時刻を修正する修正部とをさらに備えることを特徴とする請求項１または２に記載の送信装置。
【請求項４】
前記抽出部が抽出した時刻情報と、リアルタイムクロックが刻む時刻との差異を監視する監視部をさらに備え、
前記選択部は、前記監視部において監視した差異をもとに、いずれか一方を選択することを特徴とする請求項３に記載の送信装置。
【請求項５】
リアルタイムクロックが刻む時刻をもとに生成された時刻情報が格納されたトランスポートストリームパケットに対して送信処理を実行し、この送信処理を実行したトランスポートストリームパケットをアンテナから送信するステップと、
アンテナから送信すべきトランスポートストリームパケットに対して受信処理を実行するステップと、
受信処理を実行したトランスポートストリームパケットから、時刻情報を抽出するステップと、
抽出した時刻情報と、リアルタイムクロックが刻む時刻との差異に応じて新たな時刻情報を生成するステップと、
送信処理を実行すべきトランスポートストリームパケットに格納された時刻情報を新たな時刻情報に置換するステップと、
を備えることを特徴とする送信方法。
【発明の詳細な説明】
【技術分野】
【０００１】
本発明は、送信技術に関し、特に時刻情報が格納されたトランスポートストリームパケットを送信する送信装置および送信方法に関する。
【背景技術】
【０００２】
地上デジタル放送では、例えば、大都市において送信塔により大出力で送信されることによって広域にわたりサービスが提供され、地方都市等において中継放送所によるサービスが提供されている。現在、放送は公共のサービスのひとつと位置付けされているので、放送局には、受信対象の区域内において、定められた品質を維持する義務がある。これに対応するため、各中継放送所からの送信される電波に対して、各受信機での受信Ｃ／Ｎ（Ｃａｒｒｉｅｒ  ｔｏ  Ｎｏｉｓｅ  ｒａｔｉｏ）値等の情報がネットワークを介してセンタで集計されている。また、異常が検出された場合には、各放送局への通知がなされる（例えば、特許文献１参照）。
【先行技術文献】
【特許文献】
【０００３】
【特許文献１】特開２００３−３３３６２７号公報
【発明の概要】
【発明が解決しようとする課題】
【０００４】
エリアワンセグメント放送とは、地上デジタル放送のひとつであるワンセグメント放送を利用し、放送事業者によって使用される送信電力よりも小さい送信電力によって、狭いエリアに限定的にコンテンツデータを送信するサービスである。このようなエリアワンセグメント放送に対応した送信装置は、不特定のサービス提供者によって設置される。さまざまなサービス提供者によって運用されるので、ネットワークを介した異常の検出のような大規模の設備を構築することは困難である。
【０００５】
一方、各放送局から、ＴＯＴ（Ｔｉｍｅ  Ｏｆｆｓｅｔ  Ｔａｂｌｅ）と呼ばれる時刻情報が、映像や音声とは別のエンコード方法で自局の映像信号に圧縮なしに多重送出されている。受信機は、ＴＯＴを使用することによって、特に遅延のない電波時計を内蔵しているかのように動作する。その結果、電子番組表のデータと連動して視聴予約・録画予約機能、番組名表示機能、テレビ受像機や地上デジタル放送用チューナにおける時刻表示機能が提供される。なお、ＴＯＴでは、日本標準時と比べて±５００ミリ秒の誤差が許容されている。このような、ＴＯＴに対する異常が、簡易に、かつ高精度に修正されることが望まれる。
【０００６】
本発明はこうした状況に鑑みてなされたものであり、その目的は、時刻情報に対する誤差を簡易に修正する技術を提供することである。
【課題を解決するための手段】
【０００７】
上記課題を解決するために、本発明のある態様の送信装置は、リアルタイムクロックが刻む時刻をもとにして生成された時刻情報が格納されたトランスポートストリームパケットに対して送信処理を実行し、この送信処理を実行したトランスポートストリームパケットをアンテナから送信する送信部と、送信部がアンテナから送信すべきトランスポートストリームパケットに対して受信処理を実行する受信部と、受信部が受信処理を実行したトランスポートストリームパケットから、時刻情報を抽出する抽出部と、抽出部が抽出した時刻情報と、リアルタイムクロックが刻む時刻との差異に応じて新たな時刻情報を生成する生成部と、送信部が送信処理を実行すべきトランスポートストリームパケットに格納された時刻情報を、生成部が生成した新たな時刻情報に置換する置換部と、を備える。
【０００８】
この態様によると、送信部に加えて受信部も備え、受信処理したトランスポートストリームパケットから抽出した時刻情報をもとに、置換すべき新たな時刻情報を生成するので、時刻情報に対する誤差を簡易に修正できる。
【０００９】
生成部は、抽出部が抽出した時刻情報と、リアルタイムクロックが刻む時刻との差異が小さくなるような新たな時刻情報を生成してもよい。この場合、抽出部が抽出した時刻情報と、リアルタイムクロックが刻む時刻との差異が小さくなるので、誤差を小さくできる。
【００１０】
送信部が送信に使用すべきアンテナとは異なったアンテナにおいて受信されたトランスポートストリームパケットと、送信部がアンテナから送信すべきトランスポートストリームパケットとを入力し、いずれか一方を受信部に出力する選択部と、選択部が、送信部が送信に使用すべきアンテナとは異なったアンテナにおいて受信されたトランスポートストリームパケットを受信部に出力している場合、抽出部が抽出した時刻情報と、リアルタイムクロックが刻む時刻との差異に応じて、リアルタイムクロックが刻む時刻を修正する修正部とをさらに備えてもよい。この場合、送信に使用すべきアンテナとは異なったアンテナにおいて受信されたトランスポートストリームパケットを使用するので、他の送信装置に備えられたリアルタイムクロックが刻む時刻に同期できる。
【００１１】
抽出部が抽出した時刻情報と、リアルタイムクロックが刻む時刻との差異を監視する監視部をさらに備えてもよい。選択部は、監視部において監視した差異をもとに、いずれか一方を選択してもよい。この場合、差異をもとに、処理対象のトランスポートストリームパケットを選択するので、差異に応じた処理を選択できる。
【００１２】
本発明の別の態様は、送信方法である。この方法は、リアルタイムクロックが刻む時刻をもとに生成された時刻情報が格納されたトランスポートストリームパケットに対して送信処理を実行し、この送信処理を実行したトランスポートストリームパケットをアンテナから送信するステップと、アンテナから送信すべきトランスポートストリームパケットに対して受信処理を実行するステップと、受信処理を実行したトランスポートストリームパケットから、時刻情報を抽出するステップと、抽出した時刻情報と、リアルタイムクロックが刻む時刻との差異に応じて新たな時刻情報を生成するステップと、送信処理を実行すべきトランスポートストリームパケットに格納された時刻情報を新たな時刻情報に置換するステップと、を備える。
【００１３】
なお、以上の構成要素の任意の組合せ、本発明の表現を方法、装置、システム、記録媒体、コンピュータプログラムなどの間で変換したものもまた、本発明の態様として有効である。
【発明の効果】
【００１４】
本発明によれば、時刻情報に対する誤差を簡易に修正できる。
【図面の簡単な説明】
【００１５】
【図１】本発明の実施例に係る送信装置の構成を示す図である。
【図２】図１の生成部において記憶されたテーブルのデータ構造を示す図である。
【図３】図１の送信装置による選択手順を示すフローチャートである。
【図４】図１の送信装置による修正手順を示すフローチャートである。
【図５】図１の送信装置による別の修正手順を示すフローチャートである。
【発明を実施するための形態】
【００１６】
本発明を具体的に説明する前に、まず概要を述べる。本発明の実施例は、エリアワンセグメント放送におけるコンテンツ配信サービスを実現するために、コンテンツデータが含まれたＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号を送信する送信装置に関する。エリアワンセグメント放送とは、地上デジタル放送のひとつであるワンセグメント放送を利用し、放送事業者によって使用される送信電力よりも低い送信電力によって、狭いエリアに限定的にコンテンツデータを送信するサービスである。そのため、各無線装置は、ワンセグメント放送と同様に、１セグメントのみを使用する。
【００１７】
また、エリアワンセグメント放送においても、地上デジタル放送と同様に、ＴＯＴが含まれる。しかしながら、放送事業者によって運用される地上デジタル放送とは異なり、エリアワンセグメント放送は、放送事業者以外の人によって運用される。エリアワンセグメント放送のシステム構成は、地上デジタル放送のシステム構成よりも簡易に構成される。そのため、ＴＯＴにずれが生じた場合に、簡易にずれが検出されるとともに修正されることが望まれる。これに対応するために、本実施例に係る送信装置は次の処理を実行する。
【００１８】
送信装置は、リアルタイムクロックをもとにＴＯＴを生成する。また、送信装置は、ＴＯＴが格納されたトランスポートストリームパケットをアンテナから送信するとともに、アンテナから送信すべきトランスポートストリームパケットに対して受信処理も実行し、トランスポートストリームパケットからＴＯＴを抽出する。抽出したＴＯＴと、リアルタイムクロックが刻む時刻とを比較し、誤差が大きい場合に、送信装置は、誤差を小さくするような新たなＴＯＴを生成し、これをトランスポートストリームに格納させる。
【００１９】
図１は、本発明の実施例に係る送信装置１００の構成を示す。送信装置１００は、コンテンツデータ生成部１０、ＴＳ多重部１２、置換部１４、変調部１６、送信部１８、送信用アンテナ２０、受信用アンテナ２２、選択部２４、受信部２６、復調部２８、抽出部３０、ＴＳ分離部３２、コンテンツデータ処理部３４、制御部３６を含む。変調部１６は、符号化部３８、ＩＦＦＴ部４０を含み、送信部１８は、周波数変換部４２、フィルタ部４４、ＰＡ部４６を含み、受信部２６は、ＬＮＡ部４８、フィルタ部５０、周波数変換部５２を含み、復調部２８は、ＦＦＴ部５４、復号部５６を含む。制御部３６は、修正部５８、リアルタイムクロック部６０、生成部６２を含み、生成部６２は、監視部６４を含む。
【００２０】
コンテンツデータ生成部１０は、動画像のデジタルデータあるいは静止画像のデジタルデータ（以下、これらを「画像」と総称する）が含まれたコンテンツデータを生成する。なお、コンテンツデータには、音声のデジタルデータ（以下、これを「音声」という）が含まれていてもよい。ここで、画像や音声は、撮像装置やマイクによって取得されたり、予めメモリに記憶されていたり、図示しないネットワークを介して取得されたりする。コンテンツデータ生成部１０は、コンテンツデータをＴＳ多重部１２に出力する。
【００２１】
ＴＳ多重部１２は、コンテンツデータ生成部１０からコンテンツデータを入力する。ＴＳ多重部１２は、コンテンツデータに含まれた画像および音声を１８８バイト固定長のパケットへ分割することによって、トランスポートストリームパケットを生成する。トランスポートストリームパケットにおいては、画像および音声が多重化されている。各パケットにはパケット識別子（ＰＩＤ）と呼ばれる１３ビットの情報が含まれる。これは各パケットが何を伝送しているものか示すためのものである。さらに、トランスポートストリームパケットには、ＴＯＴが含まれる。ＴＯＴは、後述のリアルタイムクロック部６０が刻む時刻をもとにして生成されている。なお、ＴＯＴの生成には公知の技術が使用されればよいので、ここでは説明を省略する。ＴＳ多重部１２は、トランスポートストリームパケットを置換部１４に出力する。
【００２２】
置換部１４は、ＴＳ多重部１２からトランスポートストリームパケットを入力する。置換部１４は、必要に応じてトランスポートストリームパケット中のＴＯＴを載せ換えるが、詳細は後述する。置換部１４は、トランスポートストリームパケットを符号化部３８に出力する。符号化部３８は、置換部１４からトランスポートストリームパケットを入力する。符号化部３８は、トランスポートストリームパケットに対して符号化を実行する。なお、符号化には公知の技術が使用されればよいので、ここでは説明を省略する。符号化部３８は、符号化したトランスポートストリームパケット（以下、「トランスポートストリームパケット」という）をＩＦＦＴ部４０に出力する。
【００２３】
ＩＦＦＴ部４０は、置換部１４からのトランスポートストリームパケットを周波数領域に配置させることによって周波数領域の信号を生成する。また、ＩＦＦＴ部４０は、周波数領域の信号に対して、ＩＦＦＴ（Ｉｎｖｅｒｓｅ  Ｆａｓｔ  Ｆｏｕｒｉｅｒ  Ｔｒａｎｓｆｏｒｍ）を実行することによって、有効シンボルを生成する。また、ＩＦＦＴ部４０は、ＧＩを有効シンボルに付加することによって、ベースバンドのＯＦＤＭシンボルを生成する。ＩＦＦＴ部４０は、ベースバンドのＯＦＤＭシンボル（以下、「ＯＦＤＭ信号」という）を周波数変換部４２に出力する。
【００２４】
周波数変換部４２は、ＩＦＦＴ部４０からＯＦＤＭ信号を入力するとともに、図示しない局部発振部から局部信号も入力する。周波数変換部４２は、局部信号によってＯＦＤＭ信号を周波数変換することによって、無線周波数のＯＦＤＭ信号を生成する。周波数変換部４２は、無線周波数のＯＦＤＭ信号（以下、「ＯＦＤＭ信号」という）をフィルタ部４４に出力する。フィルタ部４４は、周波数変換部４２からＯＦＤＭ信号を入力し、ＯＦＤＭ信号に含まれた不要信号を低減する。フィルタ部４４は、不要信号が低減されたＯＦＤＭ信号（以下、「ＯＦＤＭ信号」という）をＰＡ部４６に出力する。ＰＡ部４６は、フィルタ部４４からのＯＦＤＭ信号を増幅した後、送信用アンテナ２０から送信する。このように、変調部１６、送信部１８は、ＴＯＴが格納されたトランスポートストリームパケットに対して送信処理を実行し、送信用アンテナ２０から送信する。
【００２５】
受信用アンテナ２２は、送信部１８が送信に使用すべき送信用アンテナ２０とは異なったアンテナである。受信用アンテナ２２は、図示しない他の送信装置１００から送信されたＯＦＤＭ信号を受信する。受信用アンテナ２２は、受信したＯＦＤＭ信号を選択部２４に出力する。
【００２６】
選択部２４は、一方において、ＰＡ部４６から、送信用アンテナ２０から送信すべきＯＦＤＭ信号を入力するとともに、他方において、受信用アンテナ２２から、受信したＯＦＤＭ信号を入力する。選択部２４は、監視部６４からの指示に応じて、いずれか一方のＯＦＤＭ信号を選択し、選択したＯＦＤＭ信号をＬＮＡ部４８に出力する。前者を選択することは、自局のＯＦＤＭ信号を選択することに相当し、後者を選択することは、他局のＯＦＤＭ信号を選択することに相当する。なお、説明を明瞭にするために、前者の場合を説明してから、後者の場合を説明する。
【００２７】
ＬＮＡ部４８は、選択部２４からＯＦＤＭ信号を入力する。ＬＮＡ部４８は、ＯＦＤＭ信号を増幅する。その際、ＯＦＤＭ信号の大きさに応じて、増幅率が調節されてもよい。ＬＮＡ部４８は、増幅したＯＦＤＭ信号（以下、「ＯＦＤＭ信号」という）をフィルタ部５０に出力する。フィルタ部５０は、ＬＮＡ部４８からＯＦＤＭ信号を入力する。フィルタ部５０は、ＯＦＤＭ信号に含まれた雑音成分を低減する。フィルタ部５０は、雑音成分が低減されたＯＦＤＭ信号（以下、「ＯＦＤＭ信号」という）を周波数変換部５２に出力する。
【００２８】
周波数変換部５２は、フィルタ部５０からＯＦＤＭ信号を入力するとともに、図示しない局部発振部から局部信号も入力する。周波数変換部５２は、周波数変換部４２と逆の処理を実行しており、局部信号によってＯＦＤＭ信号を周波数変換することによって、ベースバンドのＯＦＤＭ信号を生成する。周波数変換部５２は、ベースバンドのＯＦＤＭ信号（以下、「ＯＦＤＭ信号」という）をＦＦＴ部５４に出力する。
【００２９】
ＦＦＴ部５４は、周波数変換部５２からＯＦＤＭ信号を入力する。ＦＦＴ部５４は、ＯＦＤＭ信号に対してＦＦＴ（Ｆａｓｔ  Ｆｏｕｒｉｅｒ  Ｔｒａｎｓｆｏｒｍ）を実行する。ＦＦＴによって、時間領域のＯＦＤＭシンボルが周波数領域のＯＦＤＭシンボルに変換される。ＦＦＴ部５４は、周波数領域のＯＦＤＭシンボル（以下、「トランスポートストリームパケット」という）を復号部５６に出力する。復号部５６は、ＦＦＴ部５４からトランスポートストリームパケットを入力する。復号部５６は、トランスポートストリームパケットを復号する。ここで、復号は、符号化部３８での符号化に対応する。復号部５６は、復号したトランスポートストリームパケット（以下、「トランスポートストリームパケット」という）を抽出部３０に出力する。
【００３０】
このように、送信装置１００には、変調部１６、送信部１８に加えて、受信部２６、復調部２８も一体的に備えられる。そのため、受信部２６、復調部２８は、送信部１８が送信用アンテナ２０から送信すべきトランスポートストリームパケットに対して受信処理を実行する。抽出部３０は、復調部２８からトランスポートストリームパケットを入力する。抽出部３０は、トランスポートストリームパケットから、ＴＯＴを抽出する。抽出部３０は、ＴＯＴを修正部５８、生成部６２に出力するとともに、トランスポートストリームパケットをＴＳ分離部３２に出力する。
【００３１】
ＴＳ分離部３２は、抽出部３０からトランスポートストリームパケットを入力する。ＴＳ分離部３２は、ＴＳ多重部１２に対応した処理を実行することによって、トランスポートストリームパケットに含まれた画像および音声を分離する。ＴＳ分離部３２は、画像および音声が含まれたコンテンツデータをコンテンツデータ処理部３４に出力する。コンテンツデータ処理部３４は、ＴＳ分離部３２からコンテンツデータを入力し、コンテンツデータに含まれた画像および音声に対して所定の処理を実行する。
【００３２】
リアルタイムクロック部６０は、一定の間隔で信号を出力する。この信号がタイミングに相当するとともに、時刻に相当する。監視部６４は、抽出部３０からＴＯＴを入力するとともに、リアルタイムクロック部６０から時刻を入力する。監視部６４は、ＴＯＴと時刻との差異を監視する。監視部６４は、差異を生成部６２に出力する。
【００３３】
生成部６２は、監視部６４における差異をもとに、処理内容を決定する。図２は、生成部６２において記憶されたテーブルのデータ構造を示す。図示のごとく、条件欄２００、処理欄２０２が含まれる。条件欄２００は、処理を決定するための条件が示されている。ここで、第１しきい値は第２しきい値よりも大きいとする。差異が第１しきい値よりも大きければ、ＲＴＣ（リアルタイムクロック）の修正が選択され、差異が第１しきい値以下であり、かつ第２しきい値よりも大きければ、ＴＯＴが選択され、差異が第２しきい値以下であれば、そのままが選択される。図１に戻る。
【００３４】
ＴＯＴが選択された場合、監視部６４からの指示によって、選択部２４は、送信用アンテナ２０から送信すべきＯＦＤＭ信号を選択する。その際、生成部６２は、ＴＯＴと時刻との差異に応じて、両者の差異が小さくなるような新たなＴＯＴを生成する。これは、両者の差異が小さくなるように、リアルタイムクロック部６０が刻む時刻を補正したＴＯＴに相当する。例えば、ＴＯＴが時刻よりもΔＴだけ先に進んでいた場合、リアルタイムクロック部６０によって生成されたＴＯＴをΔＴだけ遅らした新たなＴＯＴが生成される。生成部６２は、新たなＴＯＴを置換部１４に出力する。
【００３５】
置換部１４は、生成部６２から新たなＴＯＴを入力した場合に、ＴＳ多重部１２からのトランスポートストリームパケットのＴＯＴに、新たなＴＯＴを置換する。置換部１４は、新たなＴＯＴにトランスポートストリームパケットを符号化部３８に出力する。なお、生成部６２においてそのままが選択された場合、つまり、生成部６２から新たなＴＯＴを入力しない場合、置換部１４は、置換せずにトランスポートストリームパケットを出力する。
【００３６】
次に、生成部６２において、ＲＴＣの修正が選択された場合を説明する。この場合、監視部６４からの指示によって、選択部２４は、受信用アンテナ２２において受信したＯＦＤＭ信号を選択する。つまり、選択部２４は、監視部６４において監視した差異をもとに、いずれか一方のＯＦＤＭ信号を選択する。また、受信部２６、復調部２８、抽出部３０は、受信用アンテナ２２において受信したＯＦＤＭ信号に対して、前述の処理を実行する。修正部５８は、生成部６２からＲＴＣの修正を指示されると、抽出部３０からＴＯＴを入力する。また、修正部５８は、リアルタイムクロック部６０から時刻も入力する。
【００３７】
修正部５８は、ＴＯＴとリアルタイムクロック部６０が刻む時刻とを比較し、それらの差分が小さくなるようにリアルタイムクロック部６０の時刻を修正する。つまり、修正部５８は、選択部２４が、受信用アンテナ２２において受信されたトランスポートストリームパケットを受信部２６に出力している場合、抽出部３０が抽出したＴＯＴと、リアルタイムクロック部６０が刻む時刻との差異に応じてリアルタイムクロック部６０の時刻を修正する。生成部６２は、リアルタイムクロック部６０において修正された時刻をもとに新たなＴＯＴを生成し、新たなＴＯＴを置換部１４に出力する。
【００３８】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３９】
以上の構成による送信装置１００の動作を説明する。図３は、送信装置１００による選択手順を示すフローチャートである。受信部２６は、ＲＦ受信処理を実行する（Ｓ１０）。復調部２８は、デジタル復調処理を実行する（Ｓ１２）。抽出部３０は、ＴＯＴを抽出する（Ｓ１４）。生成部６２は、ＴＯＴとＲＴＣとを比較する（Ｓ１６）。差異が第１しきい値よりも大きければ（Ｓ１８のＹ）、選択部２４は、外部からの受信信号を選択する（Ｓ２０）。差異が第１しきい値よりも大きくなければ（Ｓ１８のＮ）、選択部２４は、内部の受信信号を選択する（Ｓ２２）。
【００４０】
図４は、送信装置１００による修正手順を示すフローチャートである。これは、図３のステップ２２に続く処理である。受信部２６は、ＲＦ受信処理を実行する（Ｓ４０）。復調部２８は、デジタル復調処理を実行する（Ｓ４２）。抽出部３０は、ＴＯＴを抽出する（Ｓ４４）。生成部６２は、ＴＯＴとＲＴＣとを比較する（Ｓ４６）。差異が第２しきい値よりも大きければ（Ｓ４８のＹ）、生成部６２は、新たなＴＯＴを生成する（Ｓ５０）。置換部１４は、ＴＯＴを置換する（Ｓ５２）。差異が第２しきい値よりも大きくなければ（Ｓ４８のＮ）、ステップ５０、ステップ５２はスキップされる。変調部１６は、デジタル変調処理を実行する（Ｓ５４）。送信部１８は、ＲＦ送信処理を実行する（Ｓ５６）。
【００４１】
図５は、送信装置１００による別の修正手順を示すフローチャートである。これは、図３のステップ２０に続く処理である。受信部２６は、ＲＦ受信処理を実行する（Ｓ７０）。復調部２８は、デジタル復調処理を実行する（Ｓ７２）。抽出部３０は、ＴＯＴを抽出する（Ｓ７４）。修正部５８は、ＴＯＴをもとにＲＴＣを設定する（Ｓ７６）。
【００４２】
本発明の実施例によれば、変調部、送信部に加えて受信部、復調部も備え、受信処理したトランスポートストリームパケットから抽出したＴＯＴをもとに、置換すべき新たな時刻情報を生成するので、時刻情報に対する誤差を簡易に修正できる。また、ＴＯＴと、リアルタイムクロック部での時刻との差異が小さくなるので、誤差を小さくできる。また、ＴＯＴと時刻との差異が第１しきい値以下であり、かつ第２しきい値よりも大きければ、リアルタイムクロック部を修正せず、内部からのＯＦＤＭ信号をもとに新たなＴＯＴを生成するので、簡易にＴＯＴを修正できる。また、ＴＯＴと時刻との差異が第１しきい値よりも大きければ、外部からのＯＦＤＭ信号をもとに、リアルタイムクロック部での時刻を修正するので、外部のリアルタイムクロック部での時刻に同期できる。また、差異をもとに、処理対象のトランスポートストリームパケットを選択するので、差異に応じた処理を選択できる。
【００４３】
また、ＴＯＴを生成するリアルタイムクロック部が高精度に制御されるので、一度設定されれば、時刻のずれの増加を抑制できる。また、受信部、復調部を具備していることによって、送信されているＴＯＴをネットワークを介さずに確認できる。また、ネットワークを介さないのでネットワークにトラブルが発生しても影響を受けずに処理できる。また、監視部において差異を確認するときは、送信処理、受信処理を実行した後であるので、ＴＯＴを補正する際にこれらの処理に要する期間を考慮できる。また、これにより、新たなＴＯＴの精度を向上できる。また、送信装置の筐体を開けなくでもよいので、メンテナンスを簡易にできる。
【００４４】
また、ネットワークを介さないので、ネットワーク部の回路が不要になり、装置を簡単にできる。また、受信装置の委託宅や情報収集の代行業者を不要にできる。また、ネットワーク、中継局を介さないのでリアルタイム性に優れている。また、ネットワークがダウンしても影響を低減できる。また、電波送信前に送信データを確認できるので放送事故の発生を抑制できる。また、事故が生じた場合であっても、早期対応を可能にでき、事実関係を容易に把握できる。
【００４５】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【符号の説明】
【００４６】
１０  コンテンツデータ生成部、  １２  ＴＳ多重部、  １４  置換部、  １６  変調部、  １８  送信部、  ２０  送信用アンテナ、  ２２  受信用アンテナ、  ２４  選択部、  ２６  受信部、  ２８  復調部、  ３０  抽出部、  ３２  ＴＳ分離部、  ３４  コンテンツデータ処理部、  ３６  制御部、  ３８  符号化部、  ４０  ＩＦＦＴ部、  ４２  周波数変換部、  ４４  フィルタ部、  ４６  ＰＡ部、  ４８  ＬＮＡ部、  ５０  フィルタ部、  ５２  周波数変換部、  ５４  ＦＦＴ部、  ５６  復号部、  ５８  修正部、  ６０  リアルタイムクロック部、  ６２  生成部、  ６４  監視部、  １００  送信装置。
【図１】
2013074328.tif 000003
【図２】
2013074328.tif 000004
【図３】
2013074328.tif 000005
【図４】
2013074328.tif 000006
【図５】
2013074328.tif 000007